(57)【要約】【課題】衣類に留めるためのクリップが着脱自在に設けられたリモコン装置を提供する。【解決手段】クリップ１０をリモコン装置本体１１に取り付ける際に、携帯用電子機器本体側にクリップ１０の把持部が開閉するような向き、または、ヘッドホン側にクリップ１０の把持部が開閉するような向きのどちらかの向きに、クリップ１０の取り付け方向を変えることができるようにする。【選択図】　　　　図１
2004095919.tif 000002
【特許請求の範囲】
【請求項１】
携帯用電子機器とヘッドホンとを電気的に接続するコードの途中に設けられ、前記携帯用電子機器を遠隔制御し、前記携帯用電子機器から出力される文字情報を表示する表示部を有するリモコン装置であって、
着脱自在のクリップが設けられたことを特徴とするリモコン装置。
【請求項２】
前記クリップの把持部が開閉する方向が、前記ヘッドホン側となるように、または、前記携帯用電子機器側となるように、前記クリップが取り付けられることを特徴とする請求項１記載のリモコン装置。
【請求項３】
前記クリップは、回動軸に回動自在に支持された第１のクリップ片と第２のクリップ片と固定用レバーと、前記回動軸に設けられ、一端が前記第１のクリップ片に、多端が前記固定用レバーに支持されたばねとを有し、
このばねは、前記固定用レバーを前記第２のクリップ片の方向に付勢する付勢力を有するとともに、前記固定用レバーを介して前記第１のクリップ片の把持部と前記第２のクリップ片の把持部とが圧接する方向に付勢力を有し、
前記第２のクリップ片の底面には突起部が形成され、
前記固定用レバーには係合突起が形成されており、
前記第２のクリップ片の突起部がスライドするスライド溝と、前記固定用レバーの係合突起が係合される２つの係合穴が設けられたことを特徴とする請求項２記載のリモコン装置。
【請求項４】
前記スライド溝には、前記第２のクリップ片の突起部のスライドを規制するストッパが形成されていることを特徴とする請求項３記載のリモコン装置。
【請求項５】
取り外された前記クリップの固定用レバーと、前記第２のクリップ片との間に前記コードを挟み込み、前記第１のクリップ片と前記第２のクリップ片との間にユーザの衣類を挟み込むことを特徴とする請求項３記載のリモコン装置。
【発明の詳細な説明】
【０００１】
【発明の属する技術分野】
本発明は、携帯用電子機器に用いられる衣類に留めるためのクリップを有するリモコン装置に関する。
【０００２】
【従来の技術】
従来、携帯用電子機器である例えばポータブルＭＤ（Ｍｉｎｉ　Ｄｉｓｃ）プレーヤ、ポータブルＣＤ（Ｃｏｍｐａｃｔ　Ｄｉｓｃ）プレーヤ等において、リモコン装置（リモートコントロール装置）によって遠隔制御できるようにしたものが多々ある。
【０００３】
このようなリモコン装置として、携帯用電子機器とヘッドホンとを電気的に接続するコードの途中に配置されるものがある。このようなリモコン装置では、ヘッドホンを装着した場合に、耳にリモコン装置の重量がかかってしまうことになり、また、携帯用電子機器を持ち歩く場合には、リモコン装置が揺れ動いてしまう。このため、図１３に示すように、リモコン装置２００には、クリップ２０１が設けられており、このクリップ２０１で例えば衣類の胸ポケットや前立て部を挟むことにより、リモコン装置２００を衣類に固定して取り付けるようにしている。
【０００４】
また、このリモコン装置２００には、液晶表示部２０２が設けられることが多く、この液晶表示部２０２によりユーザは携帯用電子機器の例えば再生状態のデータに基づいた表示を確認することができる。
【０００５】
【発明が解決しようとする課題】
しかしながら、このような従来のリモコン装置２００をクリップ２０１を用いて、例えば衣類の左胸のポケットや、女性用の衣類の前立て部（右前立て部が上側）に取り付ける場合等には、ユーザにとって、液晶表示部２０２の文字が読みにくくなってしまうという問題があった。
【０００６】
ここで、具体的に上記の問題について説明する。図１４に示すように、液晶表示部２０２における文字の向きは携帯用電子機器本体側からヘッドホン側へと続いている。このため、図１５（ａ）に示すように、衣類の左胸のポケットにクリップ２０１を用いてリモコン装置２００を取り付ける場合には、ユーザから見て液晶表示部２０２における文字が右側から左側へ続き、文字の上下の向きが逆なので、文字が読みにくくなってしまう。
【０００７】
その一方、図１５（ｂ）に示すように、衣類の男性用の前立て部（左前立て部が上側）にクリップ２０１を用いてリモコン装置２００を取り付ける場合には、ユーザから見て液晶表示部２０２における文字が左側から右側へ続き、文字の上下の向きも逆にはならないので、文字は読みやすくなる。
【０００８】
しかし、図１５（ｃ）に示すように、衣類の女性用の前立て部（右前立て部が上側）にクリップ２０１を用いてリモコン装置２００を取り付ける場合には、ユーザから見て液晶表示部２０２における文字が右側から左側へ続き、文字の上下の向きが逆なので、文字が読みにくくなってしまう。
【０００９】
また、リモコン装置２００の種類によっては、図１４とは文字の向きが逆であり、図１６に示すように、液晶表示部２０２における文字の向きがヘッドホン側から携帯用電子機器本体側へと続いているものもある。
【００１０】
このような文字の向きで表示される液晶表示部２０２であっても、衣類の男性用の前立て部（左前立て部が上側）にクリップ２０１を用いてリモコン装置２００を取り付ける場合には、ユーザから見ると、液晶表示部２０２における文字が右から左へ続き、文字の上下の向きが逆になってしまい、文字が読みにくくなってしまうという問題は解消されない。
【００１１】
さらに、上述した液晶表示部２０２における文字の読みやすさに関する問題点以外にも、従来のクリップ２０１を用いたリモコン装置２００の衣類への留め方では、リモコン装置２００の使い方が限定されてしまっていて、リモコン装置２００の使い方の自由度が少ないという問題があった。具体的には、例えば、図１７に示すように、クリップ２０１を用いて衣類のポケットにリモコン装置２００の上下を逆転させてリモコン装置２００を取り付けることはできず、このため、リモコン装置２００の上下を逆転させて使うようなことはできなかった。
【００１２】
また、ユーザの着ている衣類にクリップ２０１を留めるポケットや前立て部などがない場合、例えば、ユーザがポケットのない丸首のＴシャツを着ているような場合には、図１８に示すように、ヘッドホン２０３のドライバー部２０３ａにリモコン装置２００とコード２０４の重さがかかってしまい、耳が痛くなってしまうという問題があった。
【００１３】
本発明はかかる問題点に鑑みてなされたもので、その目的は、衣類に留めるためのクリップが着脱自在に設けられたリモコン装置を提供することにある。
【００１４】
【課題を解決するための手段】
本発明によるリモコン装置は、携帯用電子機器とヘッドホンとを電気的に接続するコードの途中に設けられ、携帯用電子機器を遠隔制御し、携帯用電子機器から出力される文字情報を表示する表示部を有するリモコン装置であって、着脱自在のクリップが設けられたものである。
【００１５】
本発明によるリモコン装置では、着脱自在のクリップがリモコン装置に設けられているので、クリップをリモコン装置に取り付ける場合には、取り付けられたクリップにより例えば衣類のポケット等を把持することにより、リモコン装置を衣類に固定することができるとともに、クリップをリモコン装置から取り外す場合には、リモコン装置が握りやすくなり操作しやすくなる。また、取り外されたクリップをコードを把持することに用いることも可能である。
【００１６】
また、本発明のリモコン装置は、クリップの把持部が開閉する方向が、ヘッドホン側となるように、または、携帯用電子機器側となるように、クリップが取り付けられるものである。
【００１７】
例えば、衣類の左胸ポケット、女性用、男性用の前立て部分等の衣類のどの部分にリモコン装置を固定しようとするかによって、クリップの把持部が開閉する方向を、ヘッドホン側か携帯用電子機器側か選択して、クリップをリモコン装置に取り付けることができる。このため、表示部の文字情報が読みやすいような方向にリモコン装置を衣類に固定することができる。
【００１８】
また、本発明のリモコン装置は、クリップが、回動軸に回動自在に支持された第１のクリップ片と第２のクリップ片と固定用レバーと、回動軸に設けられ、一端が第１のクリップ片に、多端が固定用レバーに支持されたばねとを有し、このばねは、固定用レバーを第２のクリップ片の方向に付勢する付勢力を有するとともに、固定用レバーを介して第１のクリップ片の把持部と第２のクリップ片の把持部とが圧接する方向に付勢力を有し、第２のクリップ片の底面には突起部が形成され、固定用レバーには係合突起が形成されており、第２のクリップ片の突起部がスライドするスライド溝と、固定用レバーの係合突起が係合される２つの係合穴が設けられたものである。
【００１９】
クリップをリモコン装置へ取り付けるのに、クリップの固定用レバーを持ち上げながら、リモコン装置のスライド溝に、第２のクリップ片の突起部をガイドとしてスライドさせる。そして、固定用レバーを離すと、固定用レバーを第２のクリップ片の方向に付勢するばねの付勢力によって、固定用レバーの係合突起がリモコン装置の係合穴に係合され、クリップはリモコン装置へ取り付けられる。
【００２０】
クリップをリモコン装置から取り外すには、固定用レバーを持ち上げて、係合突起の係合穴への係合をはずして、リモコンリモコン装置のスライド溝に、取り付け時とは逆方向に、第２のクリップ片の突起部をガイドとしてスライドさせる。
【００２１】
また、スライド溝に、第２のクリップ片の突起部のスライドを規制するストッパを形成するようにしてもよい。これにより、クリップのスライドを、突起部がスライド溝のストッパで規制されるまで行えばよいようになる。
【００２２】
また、本発明のリモコン装置は、取り外されたクリップの固定用レバーと、第２のクリップ片との間にコードを挟み込み、第１のクリップ片と第２のクリップ片との間にユーザの衣類を挟み込むものである。
【００２３】
取り外されたクリップの固定用レバーを押し上げて、固定用レバーと第２のクリップ片との間にコードを挟んで、固定用レバーを離すと、ばねの付勢力によってコードが挟み込まれる。また、第１のクリップ片と第２のクリップ片との間にもばねの付勢力によってユーザの衣類の一部が挟み込むまれる。
【００２４】
【発明の実施の形態】
以下、本発明の実施の形態について図面を参照して詳細に説明する。
【００２５】
図１は、本発明の一実施の形態に係るリモコン装置の構成を表したものである。このリモコン装置１は、クリップ１０がリモコン装置本体１１に着脱自在に取り付けられるようになっている。また、クリップ１０をリモコン装置本体１１に取り付ける際に、クリップ１０の取り付け方向を変えることができる。図１（ａ）は、携帯用電子機器本体側に把持部が開閉するような向きにクリップ１０をリモコン装置本体１１に取り付けたリモコン装置１を表したものであり、図１（ｂ）は、図１（ａ）と１８０度向きを変えて、ヘッドホン側に把持部が開閉するような向きにクリップ１０をリモコン装置本体１１に取り付けたリモコン装置１を表したものである。
【００２６】
図２は、クリップ１０単体での構成を表したものであり、図３は、リモコン装置本体１１単体での構成を表したものである。クリップ１０は、回動軸１０ａに回動自在に支持された一対のクリップ片１０ｂ，１０ｃおよび固定用レバー１０ｄと、回動軸１０ａに挿嵌され、一端がクリップ片１０ｂと多端が固定用レバー１０ｄに支持されたバネ１０ｅとにより構成されている。
【００２７】
一対のクリップ片のうち、第１のクリップ片１０ｂには、第１のクリップ片１０ｂを開く際に押し下げられる操作部１０１ｂと、衣類の胸ポケットや前たて部等を把持する把持部１０２ｂが設けられている。なお、把持部１０２ｂは、衣類のポケット片等からはずれにくくなるように、凹凸状に形成されている。
【００２８】
他方の第２のクリップ片１０ｃには、底面に４つの突起部１０１ｃおよび開孔１０２ｃが形成されている。また、上述した第１のクリップ片１０ｂの把持部１０２ｂに対向する位置に、把持部１０３ｃが形成されている。なお、クリップ１０をリモコン装置本体１１から取り外して用いる場合には、第２のクリップ片の一端も操作部として用いられる。
【００２９】
固定用レバー１０ｄには、クリップ１０をリモコン装置本体１１に取り付ける際に、第２のクリップ片１０ｃの開孔１０２ｃに挿入される係合突起１０１ｄが形成されている。
【００３０】
ばね１０ｅは、固定用レバー１０ｄを第２のクリップ片１０ｃの方向に付勢する方向に付勢されているとともに、固定用レバー１０ｄを介して、第１のクリップ片１０ｂの把持部１０２ｂと第２のクリップ片１０ｃの把持部１０３ｃとが圧接されるような方向に付勢されている。ばね１０ｅには、例えばねじりコイルばねが用いられる。なお、ばね１０ｅには例えば板ばね等を用いてもよい。
【００３１】
リモコン装置本体１１は、例えばスティック状の形状をしており、リモコン装置本体１１の背面側には、クリップ１０を取り付けるためのスライド溝１１ａおよび係合穴１１ｂが形成されている。また、リモコン装置本体１１は、携帯用電子機器本体から出力される文字情報を表示する液晶表示部１１ｃと操作用キー１１ｄとヘッドホンジャック１１ｅとを備えている。
【００３２】
スライド溝１１ａは、クリップ１０をリモコン装置本体１１に取り付ける際に、第２のクリップ片１０ｃの突起部１０１ｃをスライドさせるためのものである。このスライド溝１１ａの途中には、突起部１０１ｃのスライド動作を規制するストッパ１１１ａが形成されている。
【００３３】
係合穴１１ｂは、クリップ１０をリモコン装置本体１１に取り付ける際に、固定用レバー１０ｄの係合突起１０１ｄを係合するためのものである。２つの係合穴１１ｂがリモコン装置本体１１の背面側には形成されており、クリップ１０の取り付け方向によって、固定用レバー１０ｄの係合突起１０１ｄが係合される係合穴１１ｂは選択される。
【００３４】
次に、図４を用いて、クリップ１０をリモコン装置本体１１に取り付ける方法について説明する。ここでは、携帯用電子機器本体側に把持部１０２ｂ，１０３ｃが開閉するような向きにクリップ１０をリモコン装置本体１１に取り付ける場合について説明する。
【００３５】
まず、図４（ａ―１）（ａ―２）に示すように、リモコン装置本体１１のスライド溝１１ａに、クリップ１０の第２のクリップ片１０ｃの突起部１０１ｃが接するような位置になるように、クリップ１０の位置合わせを行う。
【００３６】
次に、図４（ｂ―１）（ｂ―２）に示すように、クリップ１０の固定用レバー１０ｄをリモコン装置本体１１から離れる方向に、持ち上げる。
【００３７】
次に、図４（ｃ―１）（ｃ―２）に示すように、クリップ１０の固定用レバー１０ｄを持ち上げたまま、クリップ１０を、第２のクリップ片１０ｃの突起部１０１ｃをガイドとしてリモコン装置本体１１のスライド溝１１ａに、図４の紙面において左方向にスライドさせる。このクリップ１０のスライドは、第２のクリップ片１０ｃの突起部１０１ｃがスライド溝１１ａのストッパ１１１ａで規制されるまで行う。
【００３８】
そして、図４（ｄ―１）（ｄ―２）に示すように、クリップ１０の固定用レバー１０ｄを離すと、ばね１０ｅの付勢力により固定用レバー１０ｄは回動軸１０ａを支軸として回動され、固定用レバー１０ｄの係合突起１０１ｄがリモコン装置本体１１の係合穴１１ｂに係合される。
【００３９】
これにより、クリップ１０がリモコン装置本体１１に固定され、取り付けられる。なお、ヘッドホン側に把持部部１０２ｂ，１０３ｃが開閉するような向きにクリップ１０をリモコン装置本体１１に取り付ける場合には、図４の場合とはクリップ１０をスライドさせる方向等について左右逆方向に行えばよい。
【００４０】
次に、図５を用いて、クリップ１０をリモコン装置本体１１から取り外す方法について説明する。ここでは、携帯用電子機器本体側に把持部１０２ｂ，１０３ｃが開閉するような向きにクリップ１０をリモコン装置本体１１に取り付けている場合について説明する。
【００４１】
まず、図５（ａ―１）（ａ―２）に示すように、クリップ１０の固定用レバー１０ｄを持ち上げて、固定用レバー１０ｄの係合突起１０１ｄをリモコン装置本体１１の係合穴１１ｂからはずす。
【００４２】
次に、図５（ｂ―１）（ｂ―２）に示すように、クリップ１０の固定用レバー１０ｄを持ち上げたまま、クリップ１０を、第２のクリップ片１０ｃの突起部１０１ｃをガイドとしてリモコン装置本体１１のスライド溝１１ａに、図４の紙面において右方向にスライドさせる。
【００４３】
そして、図５（ｃ―１）（ｃ―２）に示すように、クリップ１０を持ち上げて、クリップ１０がリモコン装置本体１１から取り外される。なお、ヘッドホン側に把持部部１０２ｂ，１０３ｃが開閉するような向きにクリップ１０をリモコン装置本体１１を取り付けている場合にクリップ１０を取り外す場合には、図５の場合とはクリップ１０をスライドさせる方向等について左右逆方向に行えばよい。
【００４４】
次に、このリモコン装置１のクリップ１０により、衣類の胸ポケットや前立て部を挟んでリモコン装置１を衣類に固定する方法について説明する。まず、第１のクリップ片１０ｂの操作部１０１ｂを押し下げて、把持部１０２ｂ，１０３ｃを開いて、衣類の胸ポケットの縁等を把持部１０２ｂと１０３ｃとの間に挟む。そして、第１のクリップ片１０ｂの操作部１０１ｂを離せば、ばね１０ｅの付勢力によって、把持部１０２ｂ，１０３ｃの間に衣類の胸ポケットの縁等が挟み込まれ、把持部１０２ｂ，１０３ｃが閉じられるので、リモコン装置１をクリップ１０により衣類に固定することができる。
【００４５】
図６は、このリモコン装置１を有する携帯用電子機器の一構成例を表すものである。ヘッドホン３のヘッドホンコード３１の先端に設けられたヘッドホンプラグ３２がリモコン装置１のヘッドホンジャック１１ｅに差し込まれることによって、リモコン装置１とヘッドホン３とは電気的に接続される。そして、リモコンコード１２の先端に設けられたリモコンプラグ１３が携帯用電子機器本体２のリモコンジャック２１に差し込まれることによって、リモコン装置１と携帯用電子機器本体２とは電気的に接続される。すなわち、リモコン装置１は、携帯用電子機器本体２とヘッドホン３とを電気的に接続するコードの途中に設けられている。
【００４６】
ヘッドホン３により携帯用電子機器本体２で例えば再生されたオーディオが聴取される。この際に、リモコン装置１に設けられた操作用キー１１ｄの操作によって、携帯用電子機器本体２の制御ができる。
【００４７】
また、衣類にクリップ１０によって固定されたリモコン装置１の液晶表示部１１ｃにより、例えば携帯用電子機器がＭＤプレーヤの場合には、例えば再生状態のデータに基づいた表示（例えば、トラック番号，再生時間，ディスク名，曲名，曲番，再生状態などの表示）を確認することができる。このようにリモコン装置１によって、携帯用電子機器の遠隔制御を行うことができる。
【００４８】
このように本実施の形態のリモコン装置では、クリップ１０のリモコン装置本体１１への取り付け、取り外しを行うのに、リモコン装置本体１１のスライド溝１１ａに、クリップ１０の第２のクリップ片１０ｃの突起部１０１ｃをガイドとしてスライドさせればよいので、クリップ１０のリモコン装置本体１１への取り付け、取り外しが容易になる。また、本実施の形態のリモコン装置では、クリップ１０のスライドを、第２のクリップ片１０ｃの突起部１０１ｃがスライド溝１１ａのストッパ１１１ａで規制されるまで行えばよいので、クリップ１０のリモコン装置本体１１への取付位置を容易に位置決めできる。
【００４９】
さらに、本実施の形態のリモコン装置では、ばね１０ｅの付勢力によりクリップ１０の固定用レバー１０ｄの係合突起１０１ｄをリモコン装置本体１１の係合穴１１ｂに係合させることにより、クリップ１０をリモコン装置本体１１に固定させるようにしたので、クリップ１０をリモコン装置本体１１に着脱自在としても、クリップ１０はリモコン装置本体１１に強固に固定される。
【００５０】
さらにまた、本実施の形態のリモコン装置では、ばね１０ｅについて、衣類を把持するためにクリップ１０を閉じるためと、クリップ１０をリモコン装置本体１１に固定するためと兼用するようにしたので、余分なばねを用いる必要がなく、コストアップが最小化されている。
【００５１】
また、本実施の形態のリモコン装置では、クリップ１０をリモコン装置本体１１に取り付ける際に、クリップ１０の取り付け方向を変えることができるようにしたので、衣類の左胸ポケットにクリップ１０を留める場合でも、女性、男性に関わらず前立て部にクリップ１０を留める場合でも、リモコン装置１の液晶表示部１１ｃにおける文字は読みやすくなり、リモコン装置１による携帯用電子機器の遠隔制御の操作性が向上する。具体的に、図７および図８を用いて説明する。
【００５２】
図７に示すように、液晶表示部１１ｃにおける文字の向きがヘッドホン側から携帯用電子機器本体側へと続いているものとする。図８（ａ）に示すように、衣類の左胸のポケットにクリップ１０を用いてリモコン装置１を取り付ける場合には、携帯用電子機器本体側にクリップ１０の把持部１０２ｂ，１０３ｃが開閉するような向きに取り付ければ、ユーザにとって文字が左側から右側に続くので、液晶表示部１１ｃの文字は読みやすくなる。
【００５３】
また、図８（ｂ）に示すように、衣類の男性用の前たて部（前たて部が左側）にクリップ１０を用いてリモコン装置１を取り付ける場合には、ヘッドホン側にクリップ１０の把持部１０２ｂ，１０３ｃが開閉するような向きに取り付ければ、ユーザにとって文字が左側から右側に続くので、液晶表示部１１ｃの文字は読みやすくなる。
【００５４】
また、図８（ｃ）に示すように、衣類の女性用の前たて部（前たて部が右側）にクリップ１０を用いてリモコン装置１を取り付ける場合には、携帯用電子機器本体側にクリップ１０の把持部１０２ｂ，１０３ｃが開閉するような向きに取り付ければ、ユーザにとって文字が左側から右側に続くので、液晶表示部１１ｃの文字は読みやすくなる。
【００５５】
さらに、本実施の形態のリモコン装置では、クリップ１０をリモコン装置本体１１から取り外すことができるようにしたので、取り外したクリップ１０を利用することにより、リモコン装置１の使い方の自由度が向上する。例えば、図９および図１０に示すように、リモコン装置本体１１から取り外したクリップ１０の固定用レバー１０ｄを押し上げて、固定用レバー１０ｄと第２のクリップ片１０ｃとの間にリモコン装置本体１１付近のリモコンコード１２を挟む。そして、固定用レバー１０ｄを離すと、ばね１０ｅの付勢力によって、固定用レバー１０ｄと第２のクリップ片１０ｃとの間にリモコンコード１２が挟み込まれて固定される。
【００５６】
このクリップ１０の把持部１０２ｂ，１０３ｃの間に、例えば衣類の左胸ポケットの縁を挟み込んで、クリップ１０を衣類の左胸ポケットに固定する。そうすれば、リモコン装置本体１１に接続されたリモコンコード１２をリモコン装置本体１１付近において下向きに垂らして支持することが可能となる。よって、リモコン装置本体１１を、上下を逆にした状態で保持することが可能になり、リモコン装置１の使い方の自由度が向上する。
【００５７】
さらにまた、本実施の形態のリモコン装置では、クリップ１０をリモコン装置本体１１から取り外すことができるようにしたので、取り外したクリップ１０を用いることにより、ユーザの衣類が例えばポケットのない丸首のＴシャツ等であって、リモコン装置１をクリップ１０により固定できない衣類の場合であっても、リモコン装置本体１１等の重さがヘッドホン３のドライバー部３３にかかることがなくなり、ヘッドホン３を装着した耳が痛くなることを防止できる。例えば、図１１および図１２に示すように、リモコン装置本体１１から取り外したクリップ１０の固定用レバー１０ｄを押し上げて、固定用レバー１０ｄと第２のクリップ片１０ｃとの間にヘッドホンコード３１を挟む。そして、固定用レバー１０ｄを離すと、ばね１０ｅの付勢力によって、固定用レバー１０ｄと第２のクリップ片１０ｃとの間にヘッドホンコード３１が挟み込まれて固定される。
【００５８】
このクリップ１０の把持部１０２ｂ，１０３ｃの間に、例えば丸首のＴシャツの丸首の襟を挟み込んで、クリップ１０をＴシャツの丸首の襟に固定する。そうすれば、Ｔシャツの丸首の襟に固定されたクリップ１０にリモコン装置本体１１およびリモコンコード１２の重さがかかり、ヘッドホン３のドライバー部３３には、ヘッドホン３とヘッドホンコード３１の一部の重量のみがかかるようになり、リモコン装置本体１１等の重さが分散される。よって、ヘッドホン３を装着した耳が痛くなることを防止できる。
【００５９】
また、本実施の形態のリモコン装置では、クリップ１０をリモコン装置本体１１から取り外すことができるようにしたので、クリップ１０を使わないユーザにとっては、クリップ１０を取り外したリモコン装置１は握りやすいため、操作しやすくなるとともに、デザイン上もすっきりとする。
【００６０】
以上、実施の形態を挙げて本発明を説明したが、本発明は上記実施の形態に限定されるものではなく、種々変形が可能である。
【００６１】
例えば、本発明は、ポータブルＭＤプレーヤ、ポータブルＣＤプレーヤ等の携帯用音響機器のほか、例えば、携帯電話、ＰＤＡ（Ｐｅｒｓｏｎａｌ　Ｄｉｇｉｔａｌ　Ａｓｓｉｓｔａｎｃｅ）、ノートパソコン、トランシーバー等の携帯用電子機器にも適用できる。
【００６２】
また、上記実施の形態ではヘッドホンが電気的に接続されるリモコン装置について説明したが、このヘッドホンには、イヤホン、イヤホンマイクも含まれるものとする。
【００６３】
【発明の効果】
以上説明したように、請求項１記載のリモコン装置によれば、着脱自在のクリップをリモコン装置に設けるようにしているので、クリップをリモコン装置に取り付ける場合には、リモコン装置を衣類に固定することができるとともに、クリップをリモコン装置から取り外す場合には、リモコン装置が握りやすくなり操作しやすくなる。また、取り外されたクリップをコードを把持することに用いることも可能である。
【００６４】
また、請求項２ないし請求項４のいずれか１に記載のリモコン装置によれば、クリップの取り付け方向を変えることができるようにしたので、取付け方向を選択したクリップを用いて、表示部の文字情報が読みやすいような方向にリモコン装置を衣類に固定することができる。
【００６５】
さらに、請求項５記載のリモコン装置によれば、取り外されたクリップによって、コードおよび衣類を挟み込むことができるようにしたので、例えば、リモコン装置の使い方の自由度が向上したり、クリップによってリモコン装置の重量を支えたりすることができる。
【図面の簡単な説明】
【図１】本発明の実施の形態であるリモコン装置の概略構成を表す構成図である。
【図２】図１に示したリモコン装置におけるクリップの構成を表す構成図である。
【図３】図１に示したリモコン装置におけるリモコン装置本体の構成を表す構成図である。
【図４】本発明の実施の形態であるクリップをリモコン装置本体に取り付ける方法を説明するための説明図である。
【図５】本発明の実施の形態であるクリップをリモコン装置本体から取り外す方法を説明するための説明図である。
【図６】本発明の実施の形態であるリモコン装置を備えた携帯用電子機器の一構成例を示す構成図である。
【図７】本発明の実施の形態であるリモコン装置の液晶表示部の文字の向きを説明するための説明図である。
【図８】本発明の実施の形態であるリモコン装置の衣類の各部分への取り付け方法と、ユーザの液晶表示部の文字の見え方を説明するための説明図である。
【図９】本発明の実施の形態である取り外されたクリップによりリモコンコードを挟み込むことを説明するための説明図である。
【図１０】本発明の実施の形態である取り外されたクリップを用いて、リモコン装置の上下を逆転させた用い方を説明するための説明図である。
【図１１】本発明の実施の形態である取り外されたクリップによりヘッドホンコードを挟み込むことを説明するための説明図である。
【図１２】本発明の実施の形態である取り外されたクリップを用いて、リモコン装置本体とリモコンコードの重さを分散させる方法を説明するための説明図である。
【図１３】従来のリモコン装置の概略構成を表す構成図である。
【図１４】従来のリモコン装置の液晶表示部の文字の向きを説明するための説明図である。
【図１５】従来のリモコン装置の衣類の各部分への取り付け方法と、ユーザの液晶表示部の文字の見え方を説明するための説明図である。
【図１６】従来のリモコン装置の液晶表示部の図１４とは逆の文字の向きを説明するための説明図である。
【図１７】リモコン装置を上下に逆転させて用いる場合を説明するための説明図である。
【図１８】従来のリモコン装置を固定することができない衣類をユーザが着用した場合の説明図である。
【符号の説明】
１…リモコン装置、１０…クリップ、１０ａ…回動軸、１０ｂ…第１のクリップ片，１０ｃ…第２のクリップ片、１０ｄ…固定用レバー、１０ｅ…ばね、１０２ｂ，１０３ｃ…把持部、１０１ｃ…突起部、１０１ｄ…係合突起、１１…リモコン装置本体、１１ａ…スライド溝、１１ｂ…係合穴、１１ｃ…液晶表示部、１１１ａ…ストッパ、１２…リモコンコード、３…ヘッドホン、３１…ヘッドホンコード、２…携帯用電子機器本体
【図１】
2004095919.tif 000003
【図２】
2004095919.tif 000004
【図３】
2004095919.tif 000005
【図４】
2004095919.tif 000006
【図５】
2004095919.tif 000007
【図６】
2004095919.tif 000008
【図７】
2004095919.tif 000009
【図８】
2004095919.tif 000010
【図９】
2004095919.tif 000011
【図１０】
2004095919.tif 000012
【図１１】
2004095919.tif 000013
【図１２】
2004095919.tif 000014
【図１３】
2004095919.tif 000015
【図１４】
2004095919.tif 000016
【図１５】
2004095919.tif 000017
【図１６】
2004095919.tif 000018
【図１７】
2004095919.tif 000019
【図１８】
2004095919.tif 000020